(57)【要約】【課題】実際の受信レベルと各家庭のデジタル放送受信機から集計した平均受信レベルとを比較・解析して、アンテナ設置時の調整を行うこと。【解決手段】少なくとも受信部２と記憶部１７，１８，１９と操作部とＣＰＵ１０と通信部１４，１５とＯＳＤ表示部７とを有し、前記操作部からのその都度の制御信号に応じて、前記ＣＰＵは、前記受信部より受信局別の受信信号強度を検出し、前記記憶部１８にデジタル化された受信レベルデータとして記録し、また前記記憶部１７，１８から地区コードと前記受信局別の受信レベルデータを取得して、前記通信部を介し外部通信網を経由して集計センターへ送信し、さらに前記地区コードを送信して前記集計センターから該地区コードに合った受信局別の平均受信レベルデータを取得し、前記受信レベルデータと平均受信レベルデータとを前記ＯＳＤ表示部に表示するようにした。【選択図】        図１
2004320450.tif 000002
【特許請求の範囲】
【請求項１】
少なくとも受信部と記憶部と操作部とＣＰＵとを有するデジタル放送受信機において、
前記操作部からの制御信号に応じて、前記ＣＰＵは、前記受信部より受信局別の受信信号強度を検出し、前記記憶部に、該受信信号強度を、デジタル化された受信レベルデータとして記録する、
ことを特徴とするデジタル放送受信機。
【請求項２】
請求項１に記載のデジタル放送受信機において、さらに通信部を有し、
前記操作部からの制御信号に応じて、前記ＣＰＵは、前記記憶部から地区コードと前記受信局別の受信レベルデータを取得し、前記通信部を起動して外部通信網を経由して集計センターへ、前記地区コードと前記受信局別の受信レベルデータを送信する、
ことを特徴とするデジタル放送受信機。
【請求項３】
請求項２に記載のデジタル放送受信機において、
前記操作部からの制御信号に応じて、前記ＣＰＵは、前記通信部を起動して、外部通信網を経由して前記集計センターへ接続し、前記地区コードを送信して、前記集計センターから該地区コードに合った受信局別の平均受信レベルデータを取得し、前記記憶部に記録する、
ことを特徴とするデジタル放送受信機。
【請求項４】
請求項３に記載のデジタル放送受信機において、さらにＯＳＤ表示部を有し、
前記操作部からの制御信号に応じて、前記ＣＰＵは、前記記憶部から、前記地区コードと前記受信局別の受信レベルデータと前記地区別、受信局別の平均受信レベルデータを取得し、これらのデータを前記ＯＳＤ表示部に送って数値若しくはグラフにより表示し、及び／又はこれらのデータの比較・解析を行って、その結果を前記ＯＳＤ表示部に送ってメッセージ等で表示する、
ことを特徴とするデジタル放送受信機。
【発明の詳細な説明】
【０００１】
【発明の属する技術分野】
本発明はデジタル放送受信機に係わり、特にアンテナ調整及び受信レベルの確認を調整者に通知するデジタル放送受信機及びアンテナ調整方法に好適に利用できるものである。
【０００２】
【従来の技術】
テレビジョン放送を良好に受信するために、アンテナを所定の方向に正確に設置するための機能を搭載したデジタル放送受信機が下記特許文献１で提案されている。
【０００３】
【特許文献１】
特開２００１−６９０９２号公報
【０００４】
【発明が解決しようとする課題】
しかしながら、受信機、ケーブル、アンテナ等の全システムが最善の状態であれば、アンテナの設置のみ最適な方向に設定すれば良いが、あくまでもシステム単体での受信レベルの評価にしか過ぎない為、ケーブルやアンテナの一部に不具合があり、受信レベルが十分に高くない場合は、その地区内での受信レベルの相対評価ができない為、受信レベルが周りに比べ相対的に低い場合でも、気づかずに終わってしまうことが考えられる。
よってケーブルやアンテナ等の修繕によって改善が見込める場合であっても、最適な対処がなされないことになる。
【０００５】
本発明は、そのような状況に鑑みてなされたもので、各家庭に設置されたデジタル放送受信機から受信信号強度データを集計して、その地区での平均的な受信レベルを求めておき、実際の受信レベルとこの平均的な受信レベルを参考にして、視聴者やアンテナの調整者が、アンテナ設置時の調整ミスを防ぎ、またその他、受信レベルが低い場合の原因を特定し、有効に活用できるようにすることを目的とする。
【０００６】
【課題を解決するための手段】
本発明のデジタル放送受信機は、少なくとも受信部と記憶部１７，１８，１９と操作部とＣＰＵ１０とを有し、前記操作部からの制御信号に応じて、前記ＣＰＵは、前記受信部より受信局別の受信信号強度を検出し、前記記憶部１８に、該受信信号強度を、デジタル化された受信レベルデータとして記録するようにした。
【０００７】
また、上記のデジタル放送受信機は、さらに通信部１４，１５を有し、前記操作部からの制御信号に応じて、前記ＣＰＵ１０は、前記記憶部１７，１８から地区コードと前記受信局別の受信レベルデータを取得し、前記通信部を起動して外部通信網を経由して集計センターへ、前記地区コードと前記受信局別の受信レベルデータを送信するようにした。
【０００８】
また、前記操作部からの制御信号に応じて、前記ＣＰＵ１０は、通信部１４，１５を起動して、外部通信網を経由して前記集計センターへ接続し、前記地区コードを送信して、集計センターから該地区コードに合った受信局別の平均受信レベルデータを取得し、前記記憶部１９に記録するようにした。
【０００９】
さらに、上記のデジタル放送受信機は、さらにＯＳＤ表示部７を有し、前記操作部からの制御信号に応じて、前記ＣＰＵは、前記記憶部１７，１８，１９から、前記地区コードと前記受信局別の受信レベルデータと前記地区別、受信局別の平均受信レベルデータを取得し、これらのデータを前記ＯＳＤ表示部に送って数値若しくはグラフにより表示し、及び／又はこれらのデータの比較・解析を行って、その結果を前記ＯＳＤ表示部に送ってメッセージ等で表示するようにした。
【００１０】
【発明の実施の形態】
本発明の実施の形態を実施例にもとづき図面を参照して説明する。
図１は、本発明によるデジタル放送受信機の構成の一例を示す機能ブロック図である。
１はアンテナ、２はチューナー部、３は復調回路、４は誤訂正部、５はトランスポートデコーダー、６はＭＰＥＧデコーダー、７はＯＳＤ表示部、８はビデオデコーダー、９は音声ＤＡＣ、１０はＣＰＵ、１１はＦＲＡＳＨＲＯＭ、１２はＲＡＭ、１３は入力Ｉ／Ｆ、１４はＰｏｒｔ、１５はｍｏｄｅｍである。
【００１１】
アンテナ１で受信されたデジタル放送信号はチューナー部２に入力される。
チューナー部２では視聴者の指示に従って所定のチャンネルが選局され、そのデジタル信号は続く誤訂正部４においてデジタル信号が修復、訂正され、続くトランスポートデコーダー５において、誤訂正部４より出力されたトランスポートストリームデータを、音声信号、映像信号、データ信号に分ける。
さらにＭＰＥＧデコーダー６において、映像・音声信号のデータ復調が行われ、ビデオエンコーダー８において接続したテレビジョン受像機に適したビデオ信号に復調が行われる。
一方音声ＤＡＣ９において接続したテレビジョン受像機若しくはオーディオ装置に適したオーディオ信号に復調が行われる。
【００１２】
ＣＰＵ１０は、ユーザー操作による入力Ｉ／Ｆ１３から送られるコントロール信号によってチューナー選局、またはその他のデジタル放送受信機全体の制御を司る。
ｍｏｄｅｍ１５は電話回線を通じて公衆回線に接続されており、アナログ／デジタルのデータ変調／復調を行う。
【００１３】
図２は受信レベルデータを取得するまでのプロセスを示す。
受信レベルデータを取得する場合、ユーザー指示による入力Ｉ／Ｆ１３から送られるコントロール信号によって、ＣＰＵ１０は、各Ｃｈのアンテナ受信レベルの大小をチューナー部より検出し（ステップＳ２１）、デジタル化された受信レベルデータとして、Ｃｈ毎受信レベル実績データベース１８に記録を行う（ステップＳ２２）。
アンテナ受信レベルの指標として誤訂正部４で検出するデジタルデータ誤り率を用いることも可能である。
【００１４】
図３は受信レベルデータを集計センターへ送信するプロセスを示す。
受信レベルデータを集計センターへ送信する場合、ユーザー指示による入力Ｉ／Ｆ１３から送られるコントロール信号によって、ＣＰＵ１０は、地区コードデータベース１７から地区コード（市外局番、或いは郵便番号）を取得し、またＣｈ毎受信レベル実績データベース１８からＣｈ毎受信レベル実績データを取得し（ステップＳ３１）、ｍｏｄｅｍ１５を起動して、取得した地区コードとＣｈ毎受信レベル実績データをＰｏｒｔ１４へ送り、外部通信網を経由して、集計センタ−へ送信する（ステップＳ３２）。
【００１５】
図４は集計センターから平均的な受信レベルデータを取得するプロセスを示す。
その地区の平均的な受信レベルデータを集計センターから取得する場合、ユーザー指示による入力Ｉ／Ｆ１３から送られるコントロール信号によって、ＣＰＵ１０は、ｍｏｄｅｍ１５を起動し、前記の集計センターへ外部通信網を経由して接続を行い、地区コード（郵便番号、市外局番等）を転送する（送信）（ステップＳ４１）。
【００１６】
集計センターは各家庭から送られてくる受信レベルデータの蓄積から地区毎に算出されたＣｈ毎の平均値の受信レベルのデータベースを所有しており、前記地区コードを受信機から受信すると、該地区コードに合った地区のＣｈ毎の平均受信レベルデータを該受信機に転送（送信）する（ステップＳ４２）。
ＣＰＵ１０は、集計センターからのこのＣｈ毎の平均受信レベルデータを、外部通信網を経由し、ｍｏｄｅｍ１５、Ｐｏｒｔ１４を介して受信（取得）し、該受信機のＦＲＡＳＨＲＯＭ１１内のＣｈ毎平均受信レベルデ−ターベース１９に記録する。（ステップＳ４３）。
【００１７】
図５は受信レベルやその地区のＣｈ毎平均受信レベルをデジタル放送受信機のＯＳＤ表示部７に表示するプロセスを示す。
受信レベルやその地区のＣｈ毎平均受信レベルを視聴者やアンテナの調整者に通知する場合、ユーザー指示による入力Ｉ／Ｆ１３から送られるコントロール信号によって、ＣＰＵ１０は、ＦＲＡＳＨＲＯＭ１１内の各データーベース１７，１８，１９から、それぞれ地区コード、Ｃｈ毎受信レベル実績データ、Ｃｈ毎平均受信レベルデータを取得し（ステップＳ５１）、これらのデータをＯＳＤ表示部７に送って、視聴者及びアンテナ調整者に解釈可能な、数値若しくはグラフにより表示する（ステップＳ５２）。またＣｈ毎受信レベル実績データとＣｈ毎平均受信レベルデータとを比較・解析し、上記の表示と合わせて、または単独で、その結果をメッセージ等でＯＳＤ表示部に表示して操作者に知らせることもできる（図６参照）。
【００１８】
図６はＯＳＤ画面のその表示例を示す。
図示されるように、その地区のＣｈ毎の平均受信レベルと受信機の実績受信レベルがグラフにより表示されており、また視聴者やアンテナの調整者に分かりやすいように「同地区の平均に比べ受信強度は高めです。良好な画像と音声で視聴をお楽しみいただけます。」のようなメッセージも表示されている。
なお受信強度が低い場合には、例えば「同地区の平均に比べ受信強度が若干低いです。アンテナの方向や、ケーブルの接続状態をご確認下さい。」というようなメッセージが表示される。
【００１９】
【発明の効果】
本発明によれば、以下の効果がもたらされる。
（１）実際の受信レベルとその地区での平均的な受信レベルを視聴者やアンテナの調整者が知ることができる為、アンテナ設置時の調整ミスを防ぐことができる。
（２）受信レベルが低い場合の原因の特定に有効に活用することができる。
（３）各家庭に設置されたデジタル放送受信機から受信レベルデータが集計センターに集計されるため、放送局や中継局にとって、その統計は非常に貴重なデータとなる。
（３）特に２００３年から行われる地上波デジタル放送の開始時期においては、新たなチャンネルによる新規送信、既存局の停波がしばらくの間続く為、集められた受信レベルデータの統計は、送信局側の送信強度の調整等に有効に活用できるものと想定される。
【図面の簡単な説明】
【図１】本発明によるデジタル放送受信機の構成の一例を示す機能ブロック図である。
【図２】受信レベルデータを取得するまでのプロセスを示す図である。
【図３】受信レベルデータを集計センターへ送信するプロセスを示す図である。
【図４】集計センターから平均的な受信レベルデータを取得するプロセスを示す図である。
【図５】受信レベルやその地区のＣｈ毎平均受信レベルをＯＳＤ表示部に表示するプロセスを示す図である。
【図６】ＯＳＤ画面の表示例を示す図である。
【符号の説明】
１  アンテナ
２  チューナー部
３  復調回路
４  誤訂正部
５  トランスポートデコーダー
６  ＭＰＥＧデコーダー
７  ＯＳＤ表示部
８  ビデオデコーダー
９  音声ＤＡＣ
１０  ＣＰＵ
１１  ＦＲＡＳＨＲＯＭ
１２  ＲＡＭ
１３  入力Ｉ／Ｆ
１４  Ｐｏｒｔ
１５  ｍｏｄｅｍ
１６  システムデータ
１７  地区コードデーターベース
１８  Ｃｈ毎受信レベルデータベース
１９  Ｃｈ毎平均受信レベルデータベース
【図１】
2004320450.tif 000003
【図２】
2004320450.tif 000004
【図３】
2004320450.tif 000005
【図４】
2004320450.tif 000006
【図５】
2004320450.tif 000007
【図６】
2004320450.tif 000008